(57)【要約】本発明は、複数の調理器具（１，１０）であって、一方を他方の上に重ね合わせることができる構成の調理器具（１，１０）に関する。各調理器具には、食材を入れる胴体部（３、３０）と、少なくとも１つの取っ手（５、５０）とが設けられている。取っ手は、少なくとも１つのピン（９、９０）、および／または少なくとも１つの収容部（１１、１１０）を備える。収容部は、取っ手において少なくとも部分的にくぼんだ範囲によって定義され、調理器具同士を安定的に積み重ねることができる。
2008532668.tif 000002
【特許請求の範囲】
【請求項１】
素手で握ることができる少なくとも１つの取っ手（５，５０）と、食材を入れることができる容器（３，３０）とが設けられた積み重ね可能な台所用調理器具（１，１０）であって、
前記台所用調理器具（１，１０）は、
別の調理器具と積み重ね可能であり、且つ、
下方から熱を加えるために、コンロやクッキングプレートの加熱面上に載置することができるように構成された底部（１００）を有しており、
更に、前記台所用調理器具（１，１０）には、
前記取っ手（５，５０）に位置する少なくとも１つの積み付け支持ピンと、
前記取っ手（５，５０）における前記位置に配され、且つ、前記取っ手（５，５０）の窪み領域を少なくとも部分的に規定している少なくとも１つの連携収容部（１１，１１０，３３，３３０，８５，８５０，６７ａ）とが設けられており、
前記台所用調理器具（１，１０）の前記底部と前記別の調理器具の底部とを重ね合わせるようにして前記台所用調理器具（１，１０）を前記別の調理器具の上に積み重ねるために、前記連携収容部（１１，１１０）及び前記積み付け支持ピン（９，９０，５９ａ，１７１ａ，１７５，８３０）が、各々、該連携収容部が別の積み付け支持ピン（９，９０）を収容し、該積み付け支持ピンが別の連携収容部（１１，１１０）に収容されるように構成されていることを特徴とする積み重ね可能な台所用調理器具。
【請求項２】
前記容器の前記底部（１００）を水平にした状態において、前記積み付け支持ピン（９，９０，５９ａ，１７１ａ，１７５，８３０）及び前記連携収容部（１１，１１０，３１，３３，３３０，８５，８５０，６７ａ）は、前記取っ手の上面上または下面上に描かれる母線によって規定される側方外面によって規定されていることを特徴とする請求項１に記載の積み重ね可能な台所用調理器具。
【請求項３】
前記容器（１４５，１５０）は、外面と周縁部とを有しており、
前記連携収容部の境界部の一部分、または前記連携収容部（１４２，１３７）のうちの少なくとも１つの連携収容部の境界部の一部分は、容器（１４５，１５０）の前記外面、及び／または前記周縁部によって規定されていることを特徴とする請求項１または２に記載の積み重ね可能な台所用調理器具。
【請求項４】
前記取っ手（５，５０）の上方及び下方において、前記積み付け支持ピン（９，９０）及び前記連携収容部（１１，１１０）の少なくとも一方は、下記の（１）〜（３）の少なくとも１つを満たしていることを特徴とする請求項１から３までの何れか１項に記載の積み重ね可能な台所用調理器具。
（１）  円錐台、角錐台、平行六面体、円柱及び楕円形のうちの何れかを直立させた形状を有している。
（２）  形状及び断面形状が、前記連携収容部の場合は、前記連携収容部の底面から、該底部の反対側にある開口部に向けて口径が徐々に広がった形状であり、前記積み付け支持ピンの場合は、該ピンの自由端から、前記取っ手（５，５０）との連結部に向けて該ピンの径が徐々に大きくなった形状となっている。
（３）  垂直面に対して、０°を超え、２°から２０°までの間を上限値とする角度をなした部分を有している。
【請求項５】
更に、前記台所用調理器具（１，１０）は、
センタリングのための複数の側方フランジまたは平坦な側面（８１ａ，８１ｂ，８１０ａ）を有しており、
前記連携収容部あるいは前記連携収容部のうちの１つの連携収容部の内部に前記ピン（３１，３１０）が配置できるように、及び／または、前記連携収容部あるいは前記連携収容部のうちの１つの連携収容部（３３,３３０）の内部で前記ピン（３１，３１０）が回転しないように、前記複数の側方フランジまたは平坦な側面（８１ａ，８１ｂ，８１０ａ）は、前記ピン（３１，３１０）に対して側方にオフセットしていることを特徴とする請求項１から４までの何れか１項に記載の積み重ね可能な台所用調理器具。
【請求項６】
前記ピン（９７，９７０）には、該ピンが前記連携収容部（９５，９５０）の内部で回転しないための、該ピンの外側の側面から突き出た側方突起（９７０ａ，９７０ｂ）を有しており、
前記連携収容部には、前記側方突起に対応する窪みが設けられていることを特徴とする請求項１から５までの何れか１項に記載の積み重ね可能な台所用調理器具。
【請求項７】
前記容器の前記底部（１００）を水平にした状態において、前記ピン（９，９０）、または前記ピン（５９ａ，１７１ａ，１７５，８３０）のうちの少なくとも１つのピンは、前記取っ手の上面または下面に対して描かれ、且つピンの上端部方向において一点に集まっている複数の母線によって規定される側方外面によって規定されており、
前記ピンは、前記側方外面上で周囲非対称であり、及び／または
前記ピン（５９ａ，１７１ａ，１７５，８３０）は、前記容器（４３，１６３）とは反対側である後部側（ＡＲ）の上端部の角度が、前記ピン（５９ａ，１７１ａ，１７５，８３０）における前記容器（４３，１６３）側である前部側（ＡＶ）の上端部の角度よりも、より垂直に近いことを特徴とする請求項１から６までの何れか１項に記載の積み重ね可能な台所用調理器具。
【請求項８】
請求項１から７までの何れか１項に記載の調理器具を複数積み重ねて構成される調理器具セットであって、
前記容器には、下方から熱を加えるために、オーブンの外側の加熱面上に載置することができるように構成された底部（１００）を備えており、
前記調理器具（１，１０）の前記底部と前記別の調理器具の底部とを重ね合わせるようにして、前記調理器具を別の調理器具の前記容器に収納するか、別の調理器具の前記容器を前記調理器具の前記容器に受け入れることでき、
或る前記調理器具（１，１０）に設けられた前記積み付け支持ピン（９，９０）を、別の調理器具に設けられた前記連携収容部（１１，１１０）に挿入することによって、調理器具同士を積み重ねていることを特徴とする調理器具セット。
【請求項９】
前記調理器具セットを構成する調理器具のうちのいくつかの調理器具に設けられた取っ手（５，５０，６９ａ，８０…）は、互いに同一の柄であることを特徴とする請求項８に記載の調理器具セット。
【請求項１０】
各々に複数の積み付け支持ピン及び連携収容部が設けられた、少なくとも２つの調理器具を積み重ねた調理器具セットであって、
下側の調理器具（１０４）に対して上側の調理器具（１０２）が所定の角度を超えて傾かないように、取っ手（５０，５０）の中心軸に沿って反対側もしくは実質的に反対側の位置で、互いに少なくとも側方部分で接触することができる、互いに相補的な、ピン（３１，３１０）と、これを収容できるように構成された収容部（３３，３３０）との第１の組と、
下側の調理器具に対して上側の調理器具（８０）が積み重ね方向に沿って所定の角度を超えて傾かないように、互いに対応する面を有し、且つ、回転しない形状を有した、互いに相補的な、ピン（８３，８３０）と、これを収容できるように構成された収容部（８５，８５０）との第２の組と、を有することを特徴とする請求項８または９に記載の調理器具セット。
【請求項１１】
下記の（１）〜（３）のいずれかを満たすことによって、下側の調理器具に対して上側の調理器具が支持されるように積み重ねられて片持ちタイプの態様になっていることを特徴とする請求項８から１０までの何れか１項に記載の調理器具セット。
（１）  前記した複数の前記調理器具のうちの或る調理器具のピン（９，９０）、またはピン（５９ａ，１７１ａ，１７５，８３０）のうちの１つのピンを、該或る調理器具とは異なる前記調理器具の前記収容部または複数の前記収容部のうちの１つの収容部に対して単に挿入する。
（２）  図９に示すような、前記収容部（１０８）に前記ピン（１０６）を挿入するとともに、容器の上部周縁部上での前記容器の側面に取り付けられる細長い柄である取っ手を通じた耐燃性の端部接続金具（６，６０，１３５，１８３）を用いて部分的に支持する。
（３）  図１１に示すような、前記収容部（１０８）に前記ピン（１０６）を挿入するとともに、下側の調理器具（１０４）及び上側の調理器具（１０２）の底部（１２６，１２７）から離れた位置にて、上側の調理器具（１０２）の容器（１１２）の側壁を、下側の調理器具（１０４）の容器の側壁に部分的に支持する（１２２）。
【請求項１２】
下側の調理器具の平坦な底部を含む平面上において、上側の調理器具の重心の直交投影（９１５，９１７，９１９）は、２つの載積物の積み重ねによって、２つの調理器具の間に規定される支持表面の前記平面（９００，９０７，９０９）上における直交投影（９０９，９１１，９１３）から離れて位置していることを特徴とする請求項８から１１までの何れか１項に記載の調理器具セット。
【請求項１３】
下側の調理器具（１０４）に対して上側の調理器具（１０２）が支持されるように積み重ねられて片持ちタイプの態様になっており、
収容部（１７，１０８）内において所定の角度で配置され、挿入方向、及び少なくとも第１の部分においてピンが収容部内に挿入される間の積み重ね方向に対する直角平面の遊びを有している少なくとも１つの前記ピン（１５，１０６）を有していることを特徴とする請求項８から１２までの何れか１項に記載の調理器具セット。
【請求項１４】
積み重ねられた前記調理器具のうちの１つの調理器具における、ピン（９，９０）、またはピン（５９ａ，１７１ａ，１７５，８３０）のうちの１つのピンが、別の上側または下側にある別の調理器具の収容部（１１，１１０）内に挿入されており、該ピンと該収容部との間に、少なくとも２つの接触領域（２３ａ，２３ｂ；２３´ａ，２３´ｂ）を形成しており、
一方の前記接触領域は、積み付け支持ピンの基部の近傍であって、連携収容部の開口部に近接し、且つ、下記の(i)または(ii)を満たし、
(i)  積み付け支持ピンの周囲、及び、前記取っ手（５，１５）が取り付けられているときの容器（３，３０）の反対側に最も近い連携収容部の周囲の部分に沿っている
(ii)  容器（１１２，１１４）同士の間の側方接触領域（１２２ｂ）の部分に沿っている
他方の前記接触領域は、前記反対側であって、前記連携収容部の底部であって、且つ積み付け支持ピンの上端部近傍に位置することを特徴とする請求項８から１３までの何れか１項に記載の調理器具セット。
【請求項１５】
ピン（９，９０）と、これを収容する収容部との間にある２つの相対する接触領域（２３ａ，２３ｂ；２３´ａ，２３´ｂ）のうちの１つに対してそれぞれ垂直である２つの面（２５ａ，２５ｂ）は、ピンが収容部に挿入されることによって下側の調理器具に支持された上側の調理器具の重心を含む垂直面（３７）を越えて交差していることを特徴とする請求項８から１４までの何れか１項に記載の調理器具セット。
【請求項１６】
請求項１から７までの何れか１項に記載の台所用調理器具（１、１０、１０２）のための、または請求項８から１５までの何れか１項に記載の調理器具セットのための蓋（４９）であって、
調理器具の容器（３，３０，１１２，１１４）を覆うことができる板状部（４７）と、
素手で握ることができる、板状部（４７）の周辺部から伸びた柄（５１，９３）とを備えており、
前記柄（５１，９３）は、ノッチ（５５ａ，５５ｂ）が設けられた開口部（５３）またはピンが設けられており、ノッチ（５５ａ，５５ｂ）は、前記蓋の下側に位置する調理器具の前記ピンまたは前記収容部と咬合することによって、該調理器具に対して前記蓋が回転することを防ぐために設けられていることを特徴とする蓋。
【請求項１７】
請求項１から７までの何れか１項に記載の台所用調理器具のための、または請求項８から１５までの何れか１項に記載の調理器具セットのためのスプーンなどの付属品であって、
前記調理器具の取っ手（６９ａ）の上に前記付属品を載置したときに、該調理器具の上記ピン（５９ａ）によって横断されるように設計された開口部（７５）を有する取っ手（７７ａ）が設けられていることを特徴とする付属品。
【請求項１８】
請求項１から７までの何れか１項に記載の台所用調理器具に、または請求項８から１５までの何れか１項に記載の調理器具セットに適用することができる蓋であって、
調理器具の容器を覆うことができるように構成された板状部（２０２）を備えており、
前記板状部（２０２）における前記容器に対向する内面上には、板状部（２０２）の該内面とは反対側の面に形成されているピン（２１０）の内部に形成された収容部（２８０）に向けられた穴を有しており、
前記蓋の該収容部は、該蓋とは異なる蓋であって、該蓋と同型である蓋の前記ピンを挿入させることができるように構成されていることを特徴とする蓋。
【請求項１９】
前記蓋同士を、着脱可能なかたちで、水平方向に安定に積み重ねることができるように、前記ピン（２１０）には、その上端または上端近傍に、別の前記蓋の前記収容部内に密接に挿入されるつば（２１２）が設けられていることを特徴とする請求項１８に記載の蓋。
【発明の詳細な説明】
【発明の詳細な説明】
【０００１】
〔技術分野〕
本発明は、調理器具自体、または、スプーンといった台所用品や蓋を含めた調理器具一式に関する。
【０００２】
本発明の一形態としては、取っ手同士を入れ子式に組み合わせることによって、略水平に積み重ねることができるフライパンセット、またはソースパン／厚手鍋セットに関する。
【０００３】
〔背景技術〕
US A 5957038またはUS A 4478349は、素手で握る少なくとも１つの取っ手と、食材を入れることができる容器とが設けられた調理器具を、互いに積み重ねることができるように構成した台所調理器具を開示している。
【０００４】
ところが、積み重ねた調理器具のうちの最も上に位置する調理器具の容器は、上に置いたものを下から加熱するコンロの加熱面の上や、クッキングプレートの上に置くことに必ずしも適しているようには見えない。このような積み重ねの問題は、或る調理器具と他の調理器具とが、互いを、各々の容器の表面全体に沿って支え合っていない態様の場合に起きる。
【０００５】
そこで、残された可能性としては、非連続的な直径を持つ２つの調理器具を積み重ねる態様の調理器具一式が考えられる。このような構成は、例えば、積み重ねた調理器具のうちの中間に位置する調理器具が、最も下部に位置する調理器具に重畳される場合に対応する。
【０００６】
また、可能であれば、最も上に位置する調理器具が回転することを防ぐためにも、積み重ねた調理器具の略水平方向の安定のみならず、垂直方向についてもその安定性を確保することが望まれている。
【０００７】
また、積み重ねた調理器具の傾きを安定させることも目的である。
【０００８】
また、前述した蓋に関しては、状況に合わせて調理器具を覆う範囲を変化させることができるような蓋を更なる目的とする。蒸気の逃げ口の制御または調整は、特に、ソースパンおよび厚手鍋の用途において、このように有利に追求されている。
【０００９】
尚、台所用の調理器具とは、特に、下から加熱する面の上や炎の上、またはオーブンの外側、特に、コンロやクッキングプレートの上に配置されることを意図した器具を意味する。
【００１０】
〔本発明の開示〕
本発明の特徴の１つによれば、調理器具の容器は、該調理器具の下方に位置する別の調理器具の上に載置することによって積み重ねることができるように構成されており、下方から加熱する面の上に載置するのに適している。そして、前記調理器具には、さらに、前記取っ手に位置する少なくとも１つの積み付け支持ピンと、前記取っ手における前記積み付け支持ピンと同じ場所に位置し、且つ前記取っ手の窪み領域を少なくとも部分的に規定している少なくとも１つの連携収容部とが設けられている。このような構成の連携収容部及び積み付け支持ピンが、各々、該連携収容部が別の積み付け支持ピンを収容し、該積み付け支持ピンが別の連携収容部に収容されるように構成されている。
【００１１】
調理器具の取っ手と容器との間に位置する接続エリアを有効に利用するために、本発明の構成は、問題となっている連結収容部の境界部分を、容器の外面によって、および／または容器の上端にある開口部を形成している周縁部によって、規定している。
【００１２】
また、積み付け支持ピンおよび連携収容部は、様々な形状を適用することができる。具体的には、積み付け支持ピンの側面および連携収容部の側面が有する複数の母線同士が、積み付け支持ピンの上端の方向において一点に集まるような形状が挙げられる。
【００１３】
本願の請求項において言及している構成によれば、バランス、安定性、回転の抑制、支持面に対する重心の位置、不都合な傾きの抑制に関する問題を解消することができる。請求項には、具体的な有意な構成を言及している。
【００１４】
とりわけ、回転の適切な制御に関して、垂直な軸または実質的に垂直な軸方向への過度の移動を抑制するために、調理器具は、上述した積み付け支持ピンに対して側方にオフセットした、１つまたは複数のノブ、または側方センタリングフランジを備えている。また、これに代えて、もしくはこれに加えて、調理器具は、積み付け支持ピンの側方外面上の突起を備えていてもよい。また、これらに対応する、連携収容部において相補的な形状であって、回転しない連携表面を有した窪みも設けられている。
【００１５】
前述したフランジは、前述したピンと収容部との第１の組は異なる少なくとも１つの互いに相補的なピンと収容部との第２の組の位置に設けられている。
【００１６】
より具体的には、各々に複数の積み付け支持ピン及び連携収容部が設けられた少なくとも２つの調理器具を積み重ねた構造に関して、特に、
−  下側の調理器具に対して上側の調理器具が所定の角度を超えて傾かないように、取っ手の軸に沿って、反対側もしくは実質的に反対側の部分で、互いに少なくとも側方接触することができる、互いに相補的な、ピンとこれを収容できるように構成された収容部との第１の組と、
−  下側の調理器具に対して上側の調理器具が積み重ね方向に沿って所定の角度を超えて傾かないように、互いに対応する面を有し、且つ、回転しない形状を有した、互いに相補的な、ピンとこれを収容できるように構成された収容部との第２の組と、
を有している。
【００１７】
他の特徴としては、前記ピン、または前記ピンのうちの少なくとも１つのピンは、その上部の方向において一点に集まっている複数の母線に沿った側方外面上で周囲非対称である。とりわけ、ピンにおける、容器とは反対側に位置する背部側において、上端部の角度が、前記ピンにおける容器側である前部側の上端部の角度よりも、より垂直に近い。この点は、安定性のある積み重ねに寄与する。
【００１８】
蓋の上のノッチは、前記蓋の下側に位置する調理器具に対する蓋の特定相対配向を抑制するためにも設けられている。
【００１９】
ノッチが無い場合は、ピン／収容部の組が、あらゆる割合で、全ての積み重ね構造体に起用されることになり、調理器具上への蓋の配置が容易になり、蓋の板状部による調理器具の覆いの拡張が簡単になる。
【００２０】
〔図面の簡単な説明〕
最良の実施形態は、添付の図に言及されるが、これに限定されない。
【００２１】
図１は、取っ手の延長線軸を通る垂直面において、２つの積み重なったソースパンの直径を示す断面図である。
【００２２】
図２は、上側の取っ手の少し傾いた配置と、収容部内のピンの積み重ねについての詳細を示す同様の断面図である。
【００２３】
図３は、２つの積み重なった類似の調理器具における、他の実施例を示す同様の面を示す断面図である。
【００２４】
図４は、部分的にかぶせる蓋と、図１の実施例とを示す俯瞰図である。
【００２５】
図５は、他の実施例において積み重なった状態を示す斜視図である。
【００２６】
図６は、図５の詳細を示す図１と同様の断面図である。
【００２７】
図７および図９は、他の２つの実施例を示す同様の断面図である。
【００２８】
図８および図１０は、それぞれ、VIII−VIIIおよびX−Xの線に沿って切断した断面図である。
【００２９】
図１１は、さらに他の実施例における同様の直径を示す断面図である。
【００３０】
図１２および図１３は、同様の状況を示す図であり、かつ、図１３においては下側の調理器具が厚手鍋である。
【００３１】
図１４および図１５は、上下に重ねられる他の２つの実施例であり、かつ、図１５は下面図である。
【００３２】
〔発明を実施するための最良の形態〕
図示する全ての積み重ね構造に関して、少なくとも同じタイプの調理器具に対して、取っ手同士も（それゆえ容器の付属部分を含めて）同一である。
【００３３】
図１に示すように、サイズが互いに連続していない２つのソースパンが、少なくともそれらの容器の一部を介して共に入れ子式となった１つのソースパン一式に属している。
【００３４】
各調理器具１および１０には、それぞれ、容器３，３０と、取っ手５，５０とが設けられている。
【００３５】
ここで、各取っ手は、耐燃性の端部接続金具６，６０により、その一端において、容器の上側開口部７，７０の境に設けられた上部周縁部１３，１３０付近で、側壁に固定されている細長い柄である。
【００３６】
それぞれ断熱された取っ手５，５０により、当該調理用器具を素手で持つことができる。
【００３７】
そして、取っ手５，５０には、それぞれ、積み付け支持ピン９，９０と、連携収容部１１，１１０とが設けられている。
【００３８】
図１に示す実施例において、突き出た積み付け支持ピン９，９０と、連携収容部１１，１１０とは、互いに対応する取っ手５，５０において、一体化する。
【００３９】
調理器具１を、調理器具１０上に安定して積み重ねるために、調理器具１０の容器の直径は調理器具１のそれよりも大きく、積み付け支持ピン９０は連携収容部１１の内側に配置される。
【００４０】
調理器具１と調理器具１０とは、積み付け支持ピン９０の側面９０ａと、それをしっかり取り囲む連携収容部の側面１１ａとの間の接触のみで安定した積み重ねを実現することができる。特に、一方の容器は、他方の容器とは接触しない。
【００４１】
図１において、容器の底１００が水平に配置されている場合、積み重ねを形成する積み付け支持ピンおよび連携収容部は、全て垂直軸に沿って形成されている。
【００４２】
積み付け支持ピン９０の軸と、その対応関係にある連携収容部１１０の軸との間の水平距離ｄは、短い。
【００４３】
積み付け支持ピン９，９０それぞれは、取っ手の上部の上に直立しており、その反対側の上、つまりその取っ手の下部には、連携収容部が形成されている。
【００４４】
したがって、この様に、片持ちタイプとして、一方の調理器具が他方の調理器具の内部に配置されるので、連携収容部１１の内側への積み付け支持ピン９０の挿入のみでよい。ここでは、積み付け支持ピンと連携収容部とは円錐だが、円錐台であってもよい。
【００４５】
図２において、上側の調理器具の取っ手１９における連携収容部１７内側に挿入される当該積み付け支持ピン１５は、平行６面体、長方形、または円柱のように、平行に引いた線と側面とを持ち、かつ連携収容部１７と相補的な形であることが好ましい。
【００４６】
図１に示されように、積み付け支持ピン１５は、軸Ｙ１が垂直であるのに対し、連携収容部１７の凹部の軸Ｙ２は、取っ手１９が接続されている調理器具の容器側に、すなわち紙面左側にわずかに傾斜している。なお、この状態を、図中では、Ｃとして示している。
【００４７】
この様に、取っ手１９は、積み付け支持ピン１５を備える下側の調理器具の取っ手２１に対して、わずかに傾斜している。
【００４８】
また、この逆の構成もありえる。すなわち、積み付け支持ピンと連携収容部とは交換できるため、積み付け支持ピンは、上側の調理器具の取っ手の裏壁において、下に向かって伸び、一方、連携収容部は、下側の調理器具の取っ手の上面から掘り下げられている（このような例を示す図として図３参照）。なお、積み付け支持ピンと連携収容部が逆さまになった構成は、後述する。
【００４９】
それゆえ、図２において、少なくとも２つの接触部２３ａおよび２３ｂ（図１と同様の符号）は、連携収容部の内部への積み付け支持ピンの挿入により定義される。
【００５０】
図２において、第１の接触部２３ａは、積み付け支持ピン１５の基部に近く、かつ連携収容部１７の開口部１７ａ（連携収容部の内へ挿入された積み付け支持ピンが貫いた開口部）に近接したところに位置する。また、取っ手１９と取っ手２１（または図１に示す取っ手５と取っ手５０）との２つが組み合わさる場合には、接触部２３ａは、容器側Ｃへ最も近接した連携収容部および積み付け支持ピンの周辺の部分に沿って発生する。もう１つの（上側かつ背部における）接触部２３ｂは、連携収容部１７の底部１７ｂに近く、かつ積み付け支持ピン１５の上端１５ａに近いところ、すなわち前記とは反対側に位置する。
【００５１】
２つの接触部２３ａおよび２３ｂは、当該取っ手における、例えば２５ｂのような軸に対して互いに反対側に位置し、且つ、容器の半径方向に位置している。他の図における部位２３’ａおよび２３’ｂについても同様である。
【００５２】
したがって、容器側Ｃの前部側（ＡＶ）、およびその反対側の後部側（ＡＲ）を定義すると、第１の周辺接触部２３ａは、連携収容部および積み付け支持ピンの前側底部に位置し、一方、反対側にあるもう１つの接触部２３ｂは、後側上端部に位置する。
【００５３】
図１の場合、図２の仮定において生じたような下側の調理器具に対する上側の調理器具のわずかな傾き（望ましくは３°から１５°の間の角度α）もなく、連携収容部内への積み付け支持ピンの挿入で、より広範囲な接触部を生じることに留意されたい。
【００５４】
図２において、積み付け支持ピンおよび連携収容部の周辺にある２つの平面２５ａと平面２５ｂとは、それぞれ第１の接触部２３ａおよび第２の接触部２３ｂに対して垂直であり、且つ、平面２５ａと平面２５ｂとは容器側Ｃの方向において共点を持つ（一点に集まっている）ことに、さらに留意されたい。
【００５５】
図１における対応関係にあるこれら２つの平面は、同じ部材番号を用いて表されている。ここで、平面２５ａを描いている下側の線が、水平に対して傾いていることに留意されたい。なぜなら、連携収容部と積み付け支持ピンの母線が、この場合において共点を持つからである。
【００５６】
前記した線２５ａ，２５ｂにより示される２つの平面は、図１の２７において交わっている。図１の２７は、容器１の内側にあり、かつ上側の調理器具１の重心を含む垂直な面２８の上にある図１および図２に示されるように、積み付け支持ピンおよび連携収容部の間にいくらかの遊びがあるかどうか、および母線同士が平行であるかどうかにより、この状況は引き起こされる。
【００５７】
図３にも、共点を持つ２つの面が、同様の符号（２５ａ，２５ｂ）によって図示されている。ここでまた、前記交点３５は前記積み付け支持ピン３１へ適応していることがわかる。なお、２つの面の交点３５は、積み重ねにおける上側の調理器具４０の重心を含む垂直な面３７上の適当な配置にある。また、積み付け支持ピン３１は、取っ手の下側の面から突き出し、且つ、もう一方の取っ手の上側の面に作られた連携収容部３３へ挿入される。
【００５８】
図３において、傾き防止された積み付け支持ピン３１と、連携収容部３３との間に２つの接触部が再び描かれている（２３’ａ，２３’ｂを参照）。第１の部位は、容器４３に近接した側において、ピン基部の近くに配置されており、もう一方はその反対側において、収容部３３の底およびピン３１の上端に近くに配置されている。
【００５９】
図３に示すように、積み付け支持ピン３１と同一であり、且つ収容部３３，３３０と相補的である直立した積み付け支持ピン３１０の共点を持つ複数の母線頂点の角度βは、例えばβ＝６．５°である。
【００６０】
ピンと収容部の形は、円錐台、ピラミッドの先を切り取った形、平行６面体、円柱、および長円体の中から選ばれるのが好ましい。
【００６１】
ここで図１および図４を参照すると、図４において、上側の容器は、互いに同形の２つの半曲面３ａおよび３ｂによって規定される。半曲面３ａおよび３ｂは、取っ手５の延長線方向５ａに対して垂直な中心面４５の位置で結合する。そのため、この取っ手５は容器３と接続されることに最初に留意されたい。
【００６２】
この中心面４５は、容器の内部容積を、ほぼ等しい半分の容積を有する３００ａおよび３００ｂの２つに分ける。
【００６３】
図１に示す積み重ねにおいて、この中心面４５は、下側の調理器具の垂直な中心面４５０と、取っ手５０との間に配置させ、下側の容器３０内において上側の容器を、半径方向にオフセットさせた状態としている。しかし、中心面４５は、このとき、ほぼ水平であるか、またはわずかに傾きを持つかの状態であることに留意されたい。
【００６４】
このように、積み重ねにおいて、上側の調理器具は、その容器が下側の調理器具の容器内に収容されていることを含め、下側の調理器具の上に載っている。したがって、この上側の調理器具の中心線は、下側の調理器具の中心線よりも、下側の調理器具の取っ手に近い。図３および図７においても、このようなオフセットが見られる。
【００６５】
さらに、図４において、容器３は、蓋４９の板状部４７によって、部分的に覆われる。容器３は、平面部４７に対して半径方向に突き出ている柄または取っ手５１により、手に持つことができる。なお、蓋４９は、概して、その後方部が中心面にほぼ平行である。
【００６６】
柄５１は、短く広い。柄５１か、もしくはそれに覆われている調理器具の柄には、一方がピンを備え、もう一方には開口部が設けられている。これらピンと開口部とは、適当な配置、好ましくは蓋が容器を完全に覆う配置において、蓋の回転を防止するためのノッチが設けられている。
【００６７】
図４において、蓋には円形の貫通した開口部５３が設けられている。蓋の後方部が、取っ手の上面に配置される場合、開口部５３は、板状部４７の平面に対して垂直な軸を持つ。また、開口部５３は、例えばピン９または９０などのピンを収容するのに適している。仮に、ピンが取っ手５１に形成される場合、ピンは、この取っ手の下側に突き出る。
【００６８】
開口部およびピンにおけるノッチ５５ａ，５５ｂは、互いに相補的であり、ピンの基部において突き出している角扇形（図１および４）によって形成される。また、ノッチ５５ａ，５５ｂは、開口部５３の側壁において凹みを有している（図４）。
【００６９】
図５において、後部のつまみ５７ａ，５７ｂは、ピン５９ａ，５５ｂそれぞれの側面における凸部として形成される。またつまみ５７ａ，５７ｂは、蓋をある位置のまま回転させないための役割を果たすこともできる。柄の開口部は、つまみ５７ａ，５７ｂと相補的な形状であり、ピンの周辺に位置する。
【００７０】
しかし、同様に図５において、側面のつまみ５７ａおよび５７ｂは、もう一つの、または、メインですらある役割を持っている。その役割とは、２つの調理器具６０ａおよび６０ｂが、積み重ねの垂直軸６１を軸として、互いに回転してしまうのを確実に防止することである。
【００７１】
このため、つまみ５７ｂの平面的な側面６３ｂおよび６５ｂは、上側の調理器具の取っ手６９ａの下側にくり抜かれた収容部６７ａの平面部または平面的な側面６３ａ，６５ａと接触または近接する。なお、前記調理器具の容器７１は当然、下側の調理器具６０ｂの容器よりも小さい直径を有している。
【００７２】
図６に示すように、この配置において、取っ手の上部に配置されている例えば５９ａのような積み付け支持ピンは、取っ手の前部側における、耐燃性の末端部接続金具のすぐ隣に近接して配置されることに留意されたい。同じ図において、上側のピン５９ａ、およびその下側の相補的な連携収容部６７ａは、曲線的な外面を持つ２つの形状をしている。さらにこの形状は、調理器具同士の間、または蓋と調理器具の間の自由な回転を可能にすることに留意されたい。しかし、つまみ５７ａを介して傾き防止を確実にすることにより、回転は確実に防止される。なお、これら全ては、少なくとも積み付け支持ピンが連携収容部の内側に完全に挿入された配置において言えることである。
【００７３】
したがって、下側の連携収容部６７ａは、７４ａ近傍の側面において開口している。この開口部は、連携収容部の配置に沿った軸に対して、側面方向にオフセットしている。そのため、例えば６５ａのような、この開口部のほぼ平面である側面において、２つの調理器具が回転を防止される。
【００７４】
図６に示すように、ピンは、その基部およびつまみ５７ａ上に、スプーン７７の柄７７ａの上に創られた開口部７５を受け止めることにより、スプーンレスト（一般的な用語）としての役目を果たす。また、ボウル形状にくり抜かれた部分７９へ近い柄の基部の辺りは容器７１ａの上側の枠上に、および、末端部６９０は柄６９ａの近くの上に、ほぼ水平に置くことができる。例えばトングやレードル、スプーンなど、他の付属品についても、適用できる。
【００７５】
また、図３の形態は、図７および図８において、回転する要素をもった積み付け支持ピンおよびその相補的な連携収容部（例えば３１および３３）に、多少見られる。上側の調理器具の取っ手８０に追加された、積み付け支持ピン８３および連携収容部８５（または下側の調理器具の取っ手における８３０および８５０）によって、調理器具の間における回転は、確実に防止される。
【００７６】
この形態において、図８に示される８１ａおよび８１ｂ（また図７の８１０ａ）に示される側方フランジの存在に留意されたい。この側方フランジは、第二の連携収容部の内に挿入されることによって、第二の積み付け支持ピン８３０の回転を防止する。また、隣接した調理器具（上側の調理器具）の取っ手の連携収容部８５（また図７の８５０）にも留意されたい。
【００７７】
壁面８１ａ、８１ｂ、および８１０ａは、回転しない。また、連携収容部８５および８５０は、ソースパンの回転を防止する目的を果たすために、非円形の切断面を持つ。第二の積み付け支持ピン８３および８３０についても同様である。
【００７８】
一方、傾き防止は、積み付け支持ピン３１の連携収容部３３０との単なる接続のみによって確実にされる（接触部２３’ａ，２３’ｂ参照）ことに留意されたい。同様に、第２のピン８３０は、連携収容部８５の後部壁８５ａとのみと接続し、その後方は、前方の接触部２３ａが配置される場所において、ピン３１の前壁を決める。
【００７９】
したがって要約すると、この発明において、各取っ手上には、第１のピンおよび第１の回転する収容部が見られる。その目的は、上側の調理器具を下側の調理器具の上に、傾きを保持、かつ回転を防止しつつ支えるためである。第２のピン８３および第２の収容部８５による後方部は、回転する形状を持たず、したがって、側面の回転を防止するフランジを備える。
【００８０】
また、図７において、蓋９５の取っ手９３の端部が下向きに曲がったピン９１となっている。ピン９１は、取っ手の上面に形成された収容部３３内へ挿入されるようにデザインされている。この取っ手は、その前方の壁が、第２のピン８３の後方の壁面と接するように構成されている。
【００８１】
図９および図１０においては、以下のような形態が図示されている。ここで、連携収容部（例えば９５）および積み付け支持ピン（例えば９７０）の１つ１つの配置は、支え／傾き防止の機能と（２つの各要素のための回転形状全体を介して）関連する。一方、積み付け支持ピン９７０の側面には、つまみとなる側面の突起９７０ａ，９７０ｂが設けられており、収容部９５中の側面には、凹溝が設けられている。これにより、回転形状が側面的に壊され、外側ブロッキングを確実にすることができる一方、これと同時に、前側および後側の支持部が適切に形成される。これは、例えば、上述した図３における２３’ａおよび２３’ｂが挙げられる。
【００８２】
図９において明確にするために、上側の調理器具の柄に設けられた直立した積み付け支持ピンは９７として参照され、（この積み付け支持ピンと対応する）下側の調理器具の柄に備えられる収容部は９５０として参照される。９７１において、上側の取っ手の端部接続金具９７２は、下側の容器上端に支持されている。
【００８３】
下側の調理器具１０４上での上側の調理器具１０２の安定した支持の態様としては、図１１に示すようなバージョンであってもよい。すなわち、１つは、直立した積み付け支持ピン１０６と、それに対応する、上側の調理器具に設けられた連携収容部１０８との接続である。もう１つは、下側の調理器具１０４に設けられた容器１１４の側面の下方表面への、上側の調理器具に設けられた容器１１２の側面の一部分の支持である。
【００８４】
この場合、柄１１６の上面に設けられた直立した積み付け支持ピン１０６は、連携収容部１０８内に挿入される。このとき、少なくとも前方（前部側１１８）において、若干の遊びが存在する。そして、上側の調理器具１０２は、下側の調理器具内において、水平面に対して前方に、わずかに傾く。この傾きには限界がある。なぜなら、ピン１０６（部位１０６ａ）が、その後方において、空洞１０８の後方壁１０８ａの開口部に近い部分を支持するためである。また、同様に、前述の容器１１２と１１４との間の接触によるためである。
【００８５】
これら２つの支持は、１２２ａおよび１２２ｂとして、連携収容部と積み付け支持ピンとの接触部、および容器と容器との接触部の配置において、面１２４ａおよび１２４ｂ上に、それぞれ図示されている。面１２４ａおよび１２４ｂは、支持部１２２ａおよび１２２ｂのある接触面に対して垂直であり、また、積み重ねられた上側の調理器具の重心と交わる。この交点は、図示されていないが、事実上、取っ手の付属部とは反対側であり、２つの容器の外部かつ上方に配置される。
【００８６】
したがって、図１１は次の形態を含む。すなわち、
−取っ手上における積み付け支持ピンと連携収容部との接続を介して、確実に安定な積み重ねにおいて、
−積み付け支持ピンと連携収容部間の片側のみを介した支持と、
−積み重なった調理器具の容器同士間の側面における接触による支持とを共に備え、なお、それら容器の底（１２６および２７）は、十分に距離を保ち、
−また、積み付け支持ピンの連携収容部への挿入において、若干の遊び部分と、特に、その対応する容器へ近接した積み付け支持ピンの前部側にわずかな傾きとを備え、また、前述の２つの面１２４ａおよび１２４ｂは交差する。
【００８７】
図１２において、積み付け支持ピンは、取っ手１３３下部に略直立して配置され、この取っ手の前方の接続端部は、接続金具１３５の端部に近接している。この積み付け支持ピンは、下側の調理器具の備える取っ手１３９の上部に形成された連携収容部に挿入される。
【００８８】
さらに正確に言えば、各連携収容部は、取っ手の片面によってその一部が規定されるとともに、該取っ手を有する調理器具の容器の一領域によってその一部が規定されている。
【００８９】
従って、例えば、上側の調理器具１４１に関して言えば、連携収容部１４２の後部側は、取っ手１３３の前部側に配置された前壁１４３によって規定され、該連携収容部の前部側は、外周の枠１４７によって終端された容器１４５の側壁の上部によって規定されている。
【００９０】
積み付け支持ピン１３１の位置に関してさら言えば、積み付け支持ピン１３１の後側部は、積み付け支持ピンの後部側の側面の上端１３１ａに近い後側部の接触領域１４９ｂにおいて支持される。そのため、積み付け支持ピンは、連携収容部１３７の底部近傍である後側底部１３７ａと接触する。また、前部側は、積み付け支持ピン１３１の基部近傍で、且つ積み付け支持ピン１３１の前部側に位置する領域１４９ａ内において、枠１４７の端部との接触部を介して支持される。
【００９１】
なお、枠が無い場合や、他の形態の場合においては、前側部の支持１４９ａは、容器の壁と接触するため、下方になる。
【００９２】
また、積み付け支持ピン１３１が、若干の遊びを備えつつ、連携収容部１３７に挿入されることを考慮すると、上側の調理器具は、前部側（容器側）へ向かってわずかに傾くことに留意されたい。この場合、共点を持つことを特徴とする２つの面１５１ａおよび１５１ｂが形成される。これらの面は、前述した前部側の接触部１４９ａ、および後部側の接触部１４９ｂに対して垂直である。また、これら２つの面は、容器の前部側および柄の反対方向に形成され、容器の上方、および容器のそれぞれの重心を含む垂直な面の上方を越えて、２つの調理器具と交差する。
【００９３】
図１２において、さらに、２つの容器の中心線１５３ａおよび１５３ｂは、それぞれ側面的にオフセットしていることに留意されたい。これは、取っ手１３３および１３９それぞれが容器に固定された部位の正反対側において、壁１４５が、壁１５０とすれすれの位置にあることを意味する（図１２の左側参照）。
【００９４】
図１３において、厚手鍋１６０に設けられた容器１６１は、上側のソースパン１６５を収容する（少なくとも直径の小さい）容器である。厚手鍋１６０は、ソースパンの取っ手１６７を、２つのバスケット取っ手（または厚手鍋の運搬用部位１６９ａおよび１６９ｂ）の１つである、１６９ａ上に支持している。この支持は、バスケット取っ手１６９ａの積み付け支持ピン１７１ａによる、その対応する取っ手１６７の連携収容部１７３内への挿入を介している。
【００９５】
積み付け支持ピン１７１ａは、バスケット取っ手の上部に配置される。また、その連携収容部１７３は、取っ手１６７の裏側下部であり、かつ取っ手前部に近い、容器１６３近傍に形成される。
【００９６】
また、同様に、反対側にあるバスケット取っ手１６９ｂには、積み付け支持ピン１７１ｂが設けられている。厚手鍋１６０は、正反対の位置にある２つの取っ手を備えている。またバスケット取っ手は、調理器具を互いに積み重ねるために、それぞれ上側に１つのピンを備えている。例えば、積み重ねるものは、このようにソースパンでもよいし、また、フライパンであってもよい。
【００９７】
なお、積み付け支持ピン１７５は、取っ手１６７の上部において、積み付け支持ピン１７１ａおよび１７１ｂと同様に形成される。
【００９８】
ここで描かれる積み付け支持ピンまたは留め金具（図６参照）は、それぞれ、垂直ではないが、垂直に近い、円錐の軸を持ち、その側面壁外周は、非対称である。そのため、図６および図１３において、留め金具の容器側の角度は、８°である。また、その反対側の角度は、３°である。したがって、容器と反対の後部側（ＡＲ）では、その容器上の前部（ＡＶ）側よりも、ピン上部の角度が垂直に近い。
【００９９】
なお、上述したような各特徴は、置換や組み合わせることが可能であることに留意されたい。
【０１００】
取っ手（例えば１６９ａ、５、および６９ａなど）は、追加式（アドオン式）の取っ手であることが好ましい。この取っ手は、ドエルピン（同１７７）方式により、容器の側面の外側（図１３の１６３）へ固定される。ドエルピンは、壁面に垂直に溶接され、スクリュー１７９を支える。スクリューは、取っ手の内に、開口部１８１を通して挿入される。したがって、取っ手後方は、接続金具１８３の難燃性の端部に接し、前方に支えられる。なお、接続金具１８３は、壁１６３と取っ手の前部との間に挟まれる。この追加方式の取っ手は、製造、およびここで提案された形態を適用した構成を容易にすると推測される。
【０１０１】
また、図示された全てバージョンについて検証が可能であることに留意されたい。たとえば、図３において、垂直な面３７は、下側の調理器具の上に、連携収容部への積み付け支持ピンの挿入によって保持された、上側の調理器具の重心を含む。水平線９００は、投影面を決定し、平らな底部９０１および接地面を通っている。それゆえ、水平線９００は、積み重ねを支える水平な面である。図９および図１１をそれぞれ参照すると、符号９０３および９０５は、垂直な面であり、９０７および９０９は、平らな底部を通る投影面である。
【０１０２】
それぞれの例において、３つの垂直な破線は、垂直な投影線を定義する。前記水平線上における３７、９０３、または９０５に示される第一の投影は、上側の調理器具の重心に関係する。他の２つの投影は、調理器具の間（２つの調理器具間の様々な接点間を含む部位、または接触点を含む）の全支持面（または多辺形）に関係する。これには、それぞれ９０９、９１１、および９１３に参照される投影部を含む。
【０１０３】
重心（前記図３、９、および１１における黒点９１５、９１７、および９１９）と直交する投影は、この投影面から距離がある（また、投影面には属していない）。この重心と直交する投影は、US A 5957038またはUS A 4478349とは当然異なり、突起／収容部の接触面に沿って配置されている。US A 5957038またはUS A 4478349では、重心の直交する同様の投影は、それぞれ、投影盤、および長方形の支持面内に配置される。これは、重ね合わさった調理器具間において、非局在の接触範囲が定められる度に配置される。なお、非局在の接触は、容器の全外周に沿って定まる。
【０１０４】
数学的に述べると、突起／収容部の接触面、または、”支持多辺形”は、全ての接触部位に対する凸状の覆いであることに留意されたい。平面内にて、この凸状の覆いは、緩んだ伸縮性のバンドと対比できる。このバンドは、全ての接触部位を包含し、また、収縮してもよい。
【０１０５】
図１４および図１５において、蓋２００および２０１それぞれは、調理器具の１つの容器を覆うために、使うことができる。それぞれは、この容器を覆うために、板状部２０２を備える。容器に対して向けられた内側の面２０４ａにおいて、板状部は、ピン２１０の内側に作られた連携収容部２０８を開く開口部２０６を備える。また、ノブについては、板状部と反対側の外側の面２０４ｂ上に、配置される。蓋２００の連携収容部、および同様の蓋２０１の積み付け支持ピンは、一方が一方の内側に挿入されるようにデザインされている。
【０１０６】
積み重ねのバランスのために、積み付け支持ピンは、垂直に、かつ板状部の中心に配置され、概して、円筒形であり、収容部と同様の円形断面を有す。
【０１０７】
積み付け支持ピンは、上端部、またはその近くにおいて、周りにつば２１２を備える。ここで、つばは円形であり、他の蓋の連携収容部へしっかりと挿入されるようデザインされている。その目的は、蓋の積み重ねの分裂を防ぎ、かつ水平に安定させることである。
【０１０８】
様々な蓋は、安定な積み重ねのために、異なる板状部の寸法（直径）を備えつつも、同様の積み付け支持ピン／ノブ、および同様の収容部を備える。
【図面の簡単な説明】
【０１０９】
【図１】取っ手の延長線軸を通る垂直面において、２つの積み重なったソースパンの直径を示す断面図である。
【図２】上側の取っ手の少し傾いた配置と、収容部内のピンの積み重ねについての詳細を示す同様の断面図である。
【図３】２つの積み重なった類似の調理器具における、他の実施例を示す同様の面を示す断面図である。
【図４】部分的にかぶせる蓋と、図１の実施例とを示す俯瞰図である。
【図５】他の実施例において積み重なった状態を示す斜視図である。
【図６】図５の詳細を示す図１と同様の断面図である。
【図７】他の実施例を示す同様の断面図である。
【図８】VIII−VIIIの線に沿って切断した断面図である。
【図９】他の実施例を示す同様の断面図である。
【図１０】X−Xの線に沿って切断した断面図である。
【図１１】さらに他の実施例における同様の直径を示す断面図である。
【図１２】図１３と同様の状態を示す図である。
【図１３】図１２と同様の状態を示す図であり、かつ、下側の調理器具が厚手鍋である。
【図１４】上下に重ねられる他の２つの実施例を示す図である。
【図１５】上下に重ねられる他の２つの実施例を示す図であり、かつ、下面図である。
【図１】
2008532668.tif 000003
【図２】
2008532668.tif 000004
【図３】
2008532668.tif 000005
【図４】
2008532668.tif 000006
【図５】
2008532668.tif 000007
【図６】
2008532668.tif 000008
【図７】
2008532668.tif 000009
【図８】
2008532668.tif 000010
【図９】
2008532668.tif 000011
【図１０】
2008532668.tif 000012
【図１１】
2008532668.tif 000013
【図１２】
2008532668.tif 000014
【図１３】
2008532668.tif 000015
【図１４】
2008532668.tif 000016
【図１５】
2008532668.tif 000017
【国際調査報告】
2008532668.tif 000018
2008532668.tif 000019
2008532668.tif 000020
2008532668.tif 000021
2008532668.tif 000022
2008532668.tif 000023